(57)【特許請求の範囲】
【請求項１】
微細粉状物が混入した廃水が供給される中和凝集沈殿槽と、中和凝集沈殿槽に微細粉状物を凝集させる凝集剤を供給する凝集剤供給手段と、中和凝集沈殿槽の廃水を中和させる中和剤を供給する中和剤供給手段と、中和凝集沈殿槽と濾過材によって区画された清水槽と、中和凝集沈殿槽と清水槽との間に設けられた中間槽とを有し、中和凝集沈殿槽と中間槽とが下部において連通していることを特徴とする中和濾過装置付き水タンク。
【請求項２】
前記中和凝集沈殿槽に、廃水を攪拌する攪拌手段が設けられている請求項１記載の中和濾過装置付き水タンク。
【請求項３】
前記廃水が、路面を切断した際に発生する切断粉を含んだ廃水である請求項１又は２記載の中和濾過装置付き水タンク。
【請求項４】
前記濾過材が濾布である請求項１、２又は３記載の中和濾過装置付き水タンク。
【発明の詳細な説明】
【０００１】
【発明の属する技術分野】
本発明は、コンクリートの路面等を切断する際、カッターに水を供給するための中和濾過装置付き水タンクに関するものである。
【０００２】
【従来の技術】
一般に、コンクリートからなる路面を切断するには、コンクリートカッターに水を供給しつつ切断している。そして、コンクリートカッターに水を供給するには、車に搭載した給水用タンクを用意し、このタンクからポンプ又は自然落下により放水ホースを介して行っていた。
【０００３】
ところで、路面を切断するとコンクリートの切断粉が発生し、この切断粉と供給した水とが混合した廃水が発生するものであった。従来、このような廃水を回収するには、廃水を回収するための回収用タンクを用意し、廃水を吸引して回収用タンクに一旦回収し、その後、適宜処理をして廃棄していた。
【０００４】
【発明が解決しようとする課題】
しかしながら、上述したように、水を供給するために給水用タンクを用いる手段では、給水用タンクの水が無くなると切断作業ができなくなるので、給水用タンクの容量によって作業時間が規制され、結果的に切断作業を長時間続けることができなかった。また、新たに給水用タンクに水を供給すれば作業を延長することができるが、作業現場の条件により水を補充することができなかったり、また補充できたとしても、補充に時間を要し作業効率が悪くなったりするものであった。
【０００５】
また、廃水を回収するには、回収用タンクを用意しなければならないが、一つの現場に２台のタンク（給水用タンクと回収用タンク）を用意しなければならず、経済的に負担が大きくなるものであった。さらに、回収した廃水から切断粉を除去する作業が必要であるので、最終的に廃水を処分するまでが面倒なものであった。
【０００６】
また、廃水はアルカリ性であるので、中和しなければ放流できないものであった。したがって、廃水の中和作業と廃水からの切断分を除去する作業が必用であり、最終的に廃水を処分するまでが面倒なものであった。
【０００７】
本発明は、以上の問題点を解決し、廃水を中和するとともに廃水中の切断粉を除去して廃水を再利用することにより、供給できる水をタンクの容量より多くできるようにし、その結果、作業時間の長時間化を図ることができ、また、最終的に廃棄する場合においても特に廃棄処理をしなくてもよいようにした中和濾過装置付き水タンクを提供することを目的とする。また、廃水の回収用タンクを用意することなく廃水を回収できるようにした中和濾過装置付き水タンクを提供することを目的とする。
【０００８】
【課題を解決するための手段】
本発明による中和濾過装置付き水タンクは、微細粉状物が混入した廃水が供給される中和凝集沈殿槽と、中和凝集沈殿槽に微細粉状物を凝集させる凝集剤を供給する凝集剤供給手段と、中和凝集沈殿槽の廃水を中和させる中和剤を供給する中和剤供給手段と、中和凝集沈殿槽と濾過材によって区画された清水槽と、中和凝集沈殿槽と清水槽との間に設けられた中間槽とを有し、中和凝集沈殿槽と中間槽とが下部において連通していることを特徴として構成されている。
【０００９】
本発明による中和濾過装置付き水タンクにおいては、中和凝集沈殿槽に供給された廃水に、凝集剤供給手段から凝集剤を供給して廃水中の微細粉状物を凝集沈殿させ、また、中和剤供給手段から中和剤を供給して廃水を中和させる。この廃水は濾過材を介して清水槽へ流入するので、沈殿していない凝集物、凝集していない微細粉状物が濾過材で除去され清水となり、清水槽には清水が流入する。したがって、清水槽の清水を最利用することができる。
【００１０】
【発明の実施の形態】
本発明による中和濾過装置付き水タンクにおいては、中和凝集沈殿槽において、廃水、凝集剤及び炭酸ガスを混合させるが、これらの混合を均一かつ迅速にするために、攪拌手段を設けることが好ましい。この攪拌手段としては、攪拌羽根等を用いても、中和剤として炭酸ガスを用いた場合、この炭酸ガスの供給により攪拌するようにしてもよい。
【００１１】
凝集剤としては、廃水中に含まれる微細粉状物によって適宜選択すればよく、微細粉状物としては、例えば、コンクリートの切断粉、石材の切断粉、ガラスの切断粉、陶器の切断粉、アスファルトの切断粉等、ダイヤモンド工具で切削できる材質の切断粉があり、これらの微細粉状物に対しては、例えば、パック、高分子凝集剤等を用いることができる。
【００１２】
中和剤は、廃水を中和させるものであれば特に限定されず、廃水は通常アルカリ性であるので酸性の物質を用い、液状であってもガス状であってもよく、炭酸ガスを用いるのが取扱い等において好適である。
【００１３】
清水槽は、濾過材により中和凝集沈殿槽から区画されており、濾過材を垂直方向に配置して区画しても、すなわち、中和凝集沈殿槽と清水槽とを水平方向に配置しても、濾過材を水平方向に配置して区画しても、すなわち、中和凝集沈殿槽と清水槽とを垂直方向に配置してもよい。
【００１４】
濾過材としては濾布が好ましく、また、着脱自在に設けることが好ましい。着脱自在とすることにより、廃水の種類、処理量等に応じて濾過材を適宜変更、交換することができる。
【００１５】
中和凝集沈殿槽と清水槽との間に中和凝集沈殿槽と連通する中間槽を設けることが好ましい。中間槽を設けることにより、凝集物及び微細粉状物が濾過材に接触する機会が少なくなり、濾過を円滑に行うことができる。中和凝集沈殿槽と中間槽との連通は、微細粉状物の凝集が進み沈殿する状態になっているので、下部において連通していることが好ましい。
【００１６】
本発明による中和濾過装置付き水タンクを適用できる廃水としては、水中に上述したような微粒子状物が分散したものであれば適用することができ、例えば、路面を切断した際に発生する廃水、石材を切削した際に発生する廃水等、ダイヤモンド工具で切断等した際に発生する廃水がある。
【００１７】
本発明による中和濾過装置付き水タンクの一実施形態について図面を参照して説明する。
【００１８】
図１は本発明による中和濾過装置付き水タンクに用いるタンクの平面図、図２は図１中Ａ−Ａ線断面図、図３は図２中Ｂ線Ｂ断面図、図４は図３中Ｃ−Ｃ線断面図である。
【００１９】
図１において、１０は貯溜した廃水を中和濾過して清水とするタンク部、４０はタンク１０部に凝集剤を供給するための凝集剤供給手段、６０はタンク１０部に中和剤としての炭酸ガスを供給するための炭酸ガス供給手段である。
【００２０】
タンク部１０は、仕切り板１１、１２、１３、１４で区画されて、中央の中和凝集沈殿槽１５と、中和凝集沈殿槽１５の周囲に隣接した８個の中間槽１６とが形成されている。タンク部１０の底は、内側に向かって深くなる傾斜部１７が形成されるとともに、傾斜部１７先端から垂直方向に深くなった凝集物捕集部１８が形成され、沈殿した凝集物が傾斜部１７を滑り落ちて凝集物捕集部１８に溜まるようになっている。仕切り板１１、１２、１３、１４は、底まで形成されておらず、傾斜部１７の上端付近が最下端となっており、すなわち、中和凝集沈殿槽１５及び中間槽１６の下部は互いに連通している。凝集物捕集部１８には、沈殿した凝集物を排出するための排出管１９が設けられている。
【００２１】
また、中和凝集沈殿槽１０の蓋板２１には、注水口２２が形成されている。さらに、仕切り板１１、１２、１３、１４の中間槽１６間を区画する部分の上部には、中間槽１６間を互いに廃水が流入できるように貫通孔２３が形成されている。
【００２２】
中間槽１６に隣接して清水槽２４が設けられている。この清水槽２４は、濾過手段としての濾布２５で中間槽１６と区画されており、また、仕切り板１１、１２と一体となっている仕切り板２６、２７で、低部が連通した状態で３つに区画されている。濾布２５の下端は、傾斜部１７の上端につながる底２８に当接し、清水槽２４は中間槽１６と完全に区画されている。清水槽２４の下部には清水を送り出す排出口２９が形成されており、この排出口２９には、ホース（図示せず）及びポンプ（図示せず）を介して清水をカッターに供給する放水ノズル（図示せず）に連結されている。
【００２３】
前記濾布２５は着脱自在に設けられており、目詰まり等により交換する際、簡単に取り出すことができるようになっている。また、濾布２５の上部には、蓋体３１が設けられている。
【００２４】
前記中和凝集沈殿槽１０には、略中央に回転軸３２が配置され、この回転軸３２の先端には攪拌羽３３が設けられており、中和凝集沈殿槽１５に貯溜された廃水を攪拌できるようになっている。また、回転軸３２はタンク部１０近傍に設けられた駆動部（図示せず）に連結されている。
【００２５】
前記凝集剤貯溜部４０は、仕切り板４１で中間槽１６と区画されるとともに、仕切り板４２で凝集剤ａ槽４３と凝集剤ｂ槽４４とに区画されている。そして、凝集剤ａ槽４３及び凝集剤ｂ槽４４には、各槽へ凝集剤を投入するための供給口４５、４６が設けられるとともに、凝集剤を中和凝集沈殿槽１５へ送るための排出口４７、４８が設けられ、この排出口４７、４８には中和凝集沈殿槽１５に凝集剤を導入する凝集剤導入管４９、５１が連結されている。
【００２６】
前記炭酸ガス供給部６０は、炭酸ガスタンク６１が中和凝集沈殿槽１５の近傍に設けられ、この炭酸ガスタンク６１には、減圧弁６２、流量計６３及び逆止弁６４が設けられた炭酸ガス導入管６５が連結されており、この炭酸ガス導入管６５の先端は、中和凝集沈殿槽１５の略中央部分にまで達している。
【００２７】
以上のような中和濾過装置付きタンクを使用する方法について説明する。
【００２８】
まず、中和凝集沈殿槽１５、中間槽１６及び清水槽２４に水を充填するとともに、凝集剤ａ槽４３から凝集剤ａを、凝集剤ｂ槽４４から凝集剤ｂを中和凝集沈殿槽１５に供給し、同時に炭酸ガスタンク６１より炭酸ガスを中和凝集沈殿槽１５の廃水内に送り込む。以上のような状態で、放水ホースを介して放水ノズルで清水槽２４の清水をカッターに供給しつつ、吸引ノズルで路面上の切断粉が混入した廃水を吸引して吸引ホースを介して中和凝集沈殿槽１５に送り込む。
【００２９】
したがって、中和凝集沈殿槽１５には廃水と、凝集剤と、炭酸ガスとが混入した状態となっており、この状態で攪拌羽３３で攪拌されるので、凝集剤及び炭酸ガスが廃水中で均一に混合される。その結果、廃水中の切断粉が凝集して塊状の凝集物となり沈殿していき、また、炭酸ガスにより廃水が中和される。
【００３０】
この切断粉が除去されるとともに中和された廃水は、仕切り板１１、１２、１３、１４下方の連通部分を通って中間槽１６に流入していくが、この過程において、ほとんどの切断粉は凝集物となり凝集物捕集部１８に沈殿していく。また、中間槽１６に流入した廃水に凝集物等が存在しても、これらの凝集物等は次第に沈殿して行き、傾斜部１７に沿って滑り落ち最終的に凝集物捕集部１８に沈殿することになる。
【００３１】
したがって、中間槽１６には切断粉及び凝集物等がほとんど混入していない廃水が貯溜された状態となっている。一方、清水槽２４中の清水はカッターに供給されているので、隣接する中間槽１６から廃水が入り込むことになるが、濾布２５で区画されているので、廃水中に凝集していない切断粉及び凝集物等が存在しても、これらの固形物は濾布２５で捕獲され、清水槽２４にはこれらの固形物が混入していない清水が流入することになる。また、清水槽２４と接していない中間槽１６に貯溜されている廃水は、貫通孔２３を介して、清水槽２４に隣接する中間槽１６に移動し、濾布２５を通って清水槽２４に導入されている。
【００３２】
以上のように、最初に貯溜していた清水を路面の切断作業のために供給するとともに、切断作業により発生した廃水を還流させ、切断粉除去すると共に中和して清水にすることにより最利用できるので、新たに清水を補充することなく、長時間に亘って切断作業を行うことができる。
【００３３】
このようにして路面の切断作業が終了すると、沈殿した切断粉及び凝集物を残して中和した廃水を下水道等に廃棄し、残った沈殿物を所定の廃棄場所に廃棄する。したがって、下水道等に切断粉及び凝集物が混入することが無く、かつ、アルカリにより汚染することもない。
【００３４】
【発明の効果】
本発明は、回収した廃水から微粒子状物を除去することにより、切断作業等に用いた水を再利用することができるので、最初に貯溜した水の作業時間以上に長時間作業することができる。また、廃水の回収用のタンクを用意する必要がないので、経済的である。さらに、回収した廃水から微細粉状物を分離することができ、かつ、中和することができるので、別途廃水の処理をすること無く廃棄することができる。
【図面の簡単な説明】
【図１】  本発明による中和濾過装置付き水タンクに用いるタンクの平面図。
【図２】  図１中Ａ−Ａ線断面図。
【図３】  図２中Ｂ−Ｂ線断面図。
【図４】  図１中Ｃ−Ｃ線断面図。
【符号の説明】
１０…タンク部
１５…中和凝集沈殿槽
１６…中間槽
１７…傾斜部
１８…凝集物捕集部
２４…清水槽
２５…濾布
４０…凝集剤供給手段
６０…炭酸ガス供給手段
【図１】
0003787309.tif 000002
【図２】
0003787309.tif 000003
【図３】
0003787309.tif 000004
【図４】
0003787309.tif 000005